(57)【要約】  一実施形態において、クラムシェル−スレートハイブリッドが、クラムシェルコンピューティングデバイス又はスレートコンピューティングデバイスのいずれかとしての役割を果たすことができる。クラムシェル−スレートハイブリッドは、上端軸に沿ってディスプレイシャーシにヒンジ結合されるキーボードシャーシのキー面上にあるキーボードの残存キーセットのアクティベーション状態を選択的に設定することができる。クラムシェル−スレートハイブリッドは、アクティベーション状態に基づいて、残存キーセットを格納することができる。クラムシェル−スレートハイブリッドは、ディスプレイシャーシのディスプレイ面上にあるタッチスクリーンディスプレイにおいてユーザ入力を受け取ることができる。
2015509246.tif 000002
【特許請求の範囲】
【請求項１】
機械により実施される方法であって、
上端軸に沿ってディスプレイシャーシにヒンジ結合されるキーボードシャーシのキー面上にあるキーボードの残存キーセットのアクティベーション状態を選択的に設定するステップと、
アクティベーション状態に基づいて前記残存キーセットを格納するステップと、
前記ディスプレイシャーシのディスプレイ面上にあるタッチスクリーンディスプレイにおいてユーザ入力を受け取るステップと、を含む、
方法。
【請求項２】
前記キーボードシャーシに対する前記ディスプレイシャーシのディスプレイ位置を決定するステップと、
前記ディスプレイ位置を用いて前記残存キーセットの前記アクティベーション状態を決定するステップと、を更に含む、
請求項１に記載の方法。
【請求項３】
前記残存キーセットを使用不能にするとき、デュアルユースキーの機能を変更するステップを更に含む、
請求項１に記載の方法。
【請求項４】
前記デュアルユースキーから制御命令を受け取るステップを更に含む、
請求項３に記載の方法。
【請求項５】
格納時に残存キー間隙を縮小するステップを更に含む、
請求項１に記載の方法。
【請求項６】
前記残存キーセットが動作状態にあるとき、ポップアップ仮想キーボードを使用不能にするステップを更に含む、
請求項１に記載の方法。
【請求項７】
１つ又は複数のプロセッサによって実行されるとき、前記１つ又は複数のプロセッサに実行させる方法を詳述する１組の命令が記憶されている有形機械可読媒体であって、
、前記方法は、
上端軸に沿ってキーボードシャーシに対するディスプレイシャーシのディスプレイ位置を決定するステップと、
前記ディスプレイ位置に基づいて、前記キーボードシャーシの前記キー面上にあるキーボードのデュアルユースキーの機能を選択的に設定するステップと、
前記ディスプレイシャーシの前記ディスプレイ面上にあるタッチスクリーンディスプレイにおいてユーザ入力を受け取るステップと、を含む、
有形機械可読媒体。
【請求項８】
ディスプレイ面上にタッチスクリーンディスプレイを有し、前記ディスプレイ面の反対側にカバー面を有するディスプレイシャーシと、
キー面上にキーボードを有し、前記キー面の反対側にベース面を有するキーボードシャーシと、
前記ディスプレイシャーシの前記ディスプレイ面が前記キーボードシャーシの前記キー面に直接面することを可能にし、前記ディスプレイシャーシの前記カバー面が前記キーボードシャーシの前記ベース面に直接面することを可能にする、前記キーボードシャーシの上端軸に沿う、ヒンジと、
アクティベーション状態に基づいて前記キーボードの残存キーセットを下げるリトラクタと、を備える、
ラップトップ−タブレットハイブリッド。
【請求項９】
前記カバー面が前記ベース面と直接面するように、前記ディスプレイシャーシを前記キーボードシャーシにロックする磁気カバーラッチを更に備える、
請求項８に記載のラップトップ−タブレットハイブリッド。
【請求項１０】
前記残存キーセット上をスライドするカバーを更に備える、
請求項８に記載のラップトップ−タブレットハイブリッド。
【発明の詳細な説明】
【背景技術】
【０００１】
コンピュータは、部屋ほどの大きさの巨大なサーバから、デスクトップデバイスに、ラップトップデバイスに、タブレットに、更にはハンドヘルドコンピュータデバイスに進化してきた。ラップトップ及びタブレットはいずれも可搬性を提供するが、ユーザに対してそれぞれ異なる有用性を提供する場合がある。タブレットでは、より直観的なコンピュータ操作を体験でき、一方、ラップトップでは、より容易な文書作成を体験することができる。
【発明の概要】
【課題を解決するための手段】
【０００２】
本概要は、詳細な説明において後に更に説明される、概念の選択を簡略化された形で導入するために提供される。本概要は特許請求の範囲に記載される主題の重要な特徴又は不可欠な特徴を特定することを意図するものではなく、特許請求の範囲に記載される主題の範囲を限定するために用いられることも意図していない。
【０００３】
以下に論じられる実施形態は、クラムシェルコンピューティングデバイス又はスレートコンピューティングデバイスのいずれかのとしての役割を果たすクラムシェル−スレートハイブリッドに関連する。クラムシェル−スレートハイブリッドは、上端軸に沿ってディスプレイシャーシにヒンジ結合されたキーボードシャーシのキー面上にあるキーボードの残存キーセットのアクティベーション状態を選択的に設定することができる。クラムシェル−スレートハイブリッドは、アクティベーション状態に基づいて、残存キーセットを格納することができる。クラムシェル−スレートハイブリッドは、ディスプレイシャーシのディスプレイ面上にあるタッチスクリーンディスプレイにおいてユーザ入力を受け取ることができる。
【０００４】
上記の利点及び特徴並びに他の利点及び特徴を得ることができる方法を説明するために、添付の図面に示されるその具体的な実施形態を参照することによって、より詳細な説明が記述され、提示される。これらの図面が典型的な実施形態のみを示し、それゆえ、その範囲を限定すると見なされるべきでないことを理解した上で、添付の図面を使用して、複数の実施形態が更に具体的に、かつ詳細に記述され、説明される。
【図面の簡単な説明】
【０００５】
【図１】コンピューティングデバイスの一実施形態を示すブロック図である。
【０００６】
【図２ａ】クラムシェル−スレートハイブリッドの一実施形態のモードを示すブロック図である。
【図２ｂ】クラムシェル−スレートハイブリッドの一実施形態のモードを示すブロック図である。
【図２ｃ】クラムシェル−スレートハイブリッドの一実施形態のモードを示すブロック図である。
【０００７】
【図３ａ】ディスプレイシャーシの一実施形態を１つの視点から見たブロック図である。
【図３ｂ】ディスプレイシャーシの一実施形態を別の視点から見たブロック図である。
【０００８】
【図４ａ】キーボードシャーシの一実施形態を１つの視点から見たブロック図である。
【図４ｂ】キーボードシャーシの一実施形態を別の視点から見たブロック図である。
【図４ｃ】キーボードシャーシの一実施形態を別の視点から見たブロック図である。
【０００９】
【図５ａ】リトラクタの一実施形態の断面図を示すブロック図である。
【図５ｂ】リトラクタの一実施形態の断面図を示すブロック図である。
【００１０】
【図６】キーボードのアクティベーション状態を設定する方法の一実施形態を示す流れ図である。
【００１１】
【図７】キーボードを動作不能にする方法の一実施形態を示す流れ図である。
【００１２】
【図８】キーボードを動作可能にする方法の一実施形態を示す流れ図である。
【００１３】
【図９】ラップトップをスレートに変換する方法の一実施形態を示す流れ図である。
【発明を実施するための形態】
【００１４】
複数の実施形態が以下に詳細に論じられる。具体的な実施態様が論じられるが、これは例示のためにのみ行われることは理解されたい。本開示の主題の趣旨及び範囲から離れることなく、他の構成要素及び構成が用いられる場合があることは当業者には理解されよう。その実施態様は、機械により実施される方法、少なくとも１つのプロセッサのための、そこに記憶された方法を詳述する１組の命令を有する有形機械可読媒体、又はラップトップ−スレートハイブリッドとすることができる。
【００１５】
クラムシェル−スレートハイブリッドは、コンピューティングデバイスが、クラムシェルフォームファクタ及びスレートフォームファクタの両方を有することを可能にし得る。クラムシェルフォームファクタは、ヒンジに沿って互いに折り畳める２つの類似の形状をなす構成体を有する。スレートフォームファクタは、単一ブロックの構成体を有する。クラムシェル−スレートハイブリッドは、クラムシェルフォームファクタ及びスレートフォームファクタの両方を有するラップトップ−タブレットハイブリッド及びハンドヘルドコンピュータデバイスの両方を表す場合がある。
【００１６】
クラムシェル−スレートハイブリッドはヒンジを有することができ、そのヒンジによって、ディスプレイシャーシが、キーボードシャーシの回りで完全に一回転できるようになり、キーボードシャーシのキーボード及びディスプレイシャーシのディスプレイが外側に面した状態で所定の位置にロックできるようになる。ディスプレイシャーシが所定の位置にロックすると、キーボードシャーシのキーをシャーシと同一平面をなすように格納することができ、そのデバイスにスレートフォームファクタを与えることができる。キーボードの選択的キーを動作不能状態に設定し、ユーザが誤って入力するのを回避することができる。選択されたキーは、スレート状態において、クラムシェル状態とは別の機能に変更することができる。これらの選択されたキーによって、クラムシェル−スレートハイブリッドは、コントローラ、すなわち、ゲームコントローラ又はリモートコントローラのいずれかとして使用できるようになる場合がある。更に、ディスプレイシャーシは、タッチスクリーンを有することができる。クラムシェル−スレートハイブリッドのモードに応じて、ユーザインターフェースを適応させることができる。
【００１７】
このようにして、一実施形態では、クラムシェル−スレートハイブリッドは、クラムシェル又はスレートコンピューティングデバイスのいずれかとしての役割を果たすことができる。クラムシェル−スレートハイブリッドは、上端軸に沿ってディスプレイシャーシにヒンジ結合されるキーボードシャーシのキー面上にあるキーボードの残存キーセットのアクティベーション状態を選択的に設定することができる。クラムシェル−スレートハイブリッドは、アクティベーション状態に基づいて、残存キーセットを格納することができる。クラムシェル−スレートハイブリッドは、ディスプレイシャーシのディスプレイ面上にあるタッチスクリーンディスプレイにおいてユーザ入力を受け取ることができる。
【００１８】
図１は、ラップトップ−スレートハイブリッドのユーザインターフェース機能を実行することができる例示的なコンピューティングデバイス１００のブロック図を示す。コンピューティングデバイス１００は、ハードウェア、ソフトウェア、ファームウェア及びシステムオンチップ技術のうちの１つ又は複数を組み合わせて、ラップトップ−スレートハイブリッドのユーザインターフェース機能を実現することができる。コンピューティングデバイス１００は、バス１１０と、プロセッサ１２０と、メモリ１３０と、リードオンリーメモリ（ＲＯＭ）１４０と、記憶デバイス１５０と、入力デバイス１６０と、出力デバイス１７０と、通信インターフェース１８０とを含むことができる。バス１１０はコンピューティングデバイス１００の複数の構成要素間で通信できるようにする。
【００１９】
プロセッサ１２０は、１組の命令を解釈し、実行する少なくとも１つの従来のプロセッサ又はマイクロプロセッサを含むことができる。メモリ１３０は、情報及びプロセッサ１２０によって実行するための命令を記憶するランダムアクセスメモリ（ＲＡＭ）又は別のタイプの動的記憶デバイスとすることができる。メモリ１３０は、プロセッサ１２０によって命令を実行中に用いられる一時変数又は他の中間情報も記憶することができる。ＲＯＭ１４０は、プロセッサ１２０のための静的情報及び命令を記憶する従来のＲＯＭデバイス又は別のタイプの静的記憶デバイスを含むことができる。記憶デバイス１５０は、例えば、磁気又は光記録媒体のような任意のタイプの有形機械可読媒体と、その対応するドライブとを含むことができる。有形機械可読媒体は、一時媒体又は信号とは対照的に、機械可読コード又は命令を記憶する物理媒体である。記憶デバイス１５０は、ある方法を詳述する１組の命令を記憶することができ、その命令は、１つ又は複数のプロセッサによって実行されたとき、１つ又は複数のプロセッサにその方法を実行させる。
【００２０】
入力デバイス１６０は、キーボード、マウス、音声認識デバイス、マイクロフォン、ヘッドセットなどの、ユーザがコンピューティングデバイス１００に情報を入力できるようにする１つ又は複数の従来の機構を含むことができる。出力デバイス１７０は、ディスプレイ、プリンタ、１つ又は複数のスピーカ、ヘッドセット、又はメモリ、磁気若しくは光ディスクのような媒体と対応するディスクドライブを含む、ユーザに情報を出力する１つ又は複数の従来の機構を含むことができる。通信インターフェース１８０は、コンピューティングデバイス１００が他のデバイス又はネットワークと通信できるようにする任意の送受信機のような機構を含むことができる。通信インターフェース１８０は、ネットワークインターフェース又はモバイル送受信機インターフェースを含むことができる。通信インターフェース１８０は、無線、有線又は光インターフェースとすることができる。
【００２１】
コンピューティングデバイス１００は、プロセッサ１２０が、例えば、メモリ１３０、磁気ディスク又は光ディスクのようなコンピュータ可読媒体に含まれる複数の命令シーケンスを実行するのに応答して、そのような機能を実行することができる。そのような命令は、記憶デバイス１５０のような別のコンピュータ可読媒体から、又は通信インターフェース１８０を介して別のデバイスから、メモリ１３０に読み込むことができる。
【００２２】
図２ａは、クラムシェル−スレートハイブリッド２０２の休止モード２００の一実施形態をブロック図で示す。クラムシェルコンピューティングデバイスは、ヒンジに沿って互いに折り畳める２つの類似の構成体を有する。クラムシェルコンピューティングデバイスは、視覚ディスプレイを含むディスプレイシャーシ２０４と、ユーザ入力を受け取るキーボードを含むキーボードシャーシ２０６とを有することができる。ヒンジ２０８が、ディスプレイシャーシ２０４をキーボードシャーシ２０６に接続することができる。クラムシェルコンピューティングデバイスは、ラップトップコンピュータ又はクラムシェルハンドヘルドコンピュータとすることができる。
【００２３】
スレートコンピューティングデバイスは単一ブロックの構成体を有する。スレートコンピューティングデバイス内のディスプレイは、ユーザ入力を受け取るタッチスクリーンディスプレイとすることができる。スレートコンピューティングデバイスは、タブレットコンピュータ又はスレートハンドヘルドコンピュータとすることができる。
【００２４】
クラムシェル−スレートハイブリッド２０２は、クラムシェルコンピューティングデバイス又はスレートコンピューティングデバイスのいずれかとしての役割を果たすことができる。クラムシェル−スレートハイブリッド２０２は、ディスプレイシャーシがキーボードシャーシの回りを３６０度回転できるようにするヒンジ２０８を有することができる。ヒンジ２０８は、完全に一回転できるようにするために、複数の軸を有することができる。
【００２５】
クラムシェル−ハイブリッド２０２は、休止モード２００にあるときに、オフにするか、又はスリープモードに入れることができる。休止モード２００において、クラムシェル−スレートハイブリッド２０２のディスプレイシャーシ２０４は、キーボードシャーシ２０６上に置かれることができる。ディスプレイシャーシ２０４のディスプレイはキーボードシャーシ２０６のキーボードに面することができるので、ディスプレイシャーシ２０４の外面及びキーボードシャーシ２０６の外面が、ディスプレイ及びキーボードを保護することができる。
【００２６】
図２ｂは、クラムシェル−スレートハイブリッド２０２のクラムシェルモード２２０の一実施形態をブロック図で示す。クラムシェルモード２２０では、ディスプレイシャーシ２０４は、ヒンジ２０８において、１度より大きく、３６０度より小さい角度に及ぶキーボードシャーシ２０６とある角度を形成することができる。クラムシェル−スレートハイブリッド２０２は、キーボードシャーシ２０６のキーボードから、１組のキー２２２を伸ばすことができる。キーボードシャーシ２０６は、タッチパッド及び他の入力デバイスを支持することもできる。キーボードシャーシ２０６のキーボード、タッチパッド及び他の入力デバイスを用いて、ユーザがクラムシェル−スレートハイブリッド２０２にデータを入力することができる。
【００２７】
図２ｃは、クラムシェル−スレートハイブリッド２０２のスレートモード２４０の一実施形態をブロック図で示す。スレートモード２４０では、ディスプレイシャーシ２０４の外面がキーボードシャーシ２０６の外面に面するようにして、ディスプレイシャーシ２０４がキーボードシャーシ２０６上に置かれることができる。したがって、キーボード及びディスプレイはいずれも外向きである。クラムシェル−スレートハイブリッド２０２は、キーボードシャーシ２０６のキーボードから１組のキー２２２を格納し、動作不能にすることができる。
【００２８】
図３ａは、ディスプレイシャーシ２０４の一実施形態の背面図３００をブロック図で示す。ディスプレイシャーシ２０４は、ディスプレイの反対側にカバー面３０２を有することができる。カバー面３０２は、キーボードシャーシ２０６のキーボードとは反対側に取り付けられるカバーラッチ３０４を有することができる。カバーラッチ３０４は、磁気カバーラッチ、格納式フック、又はディスプレイシャーシ２０４をキーボードシャーシ２０６の所定の位置に堅固に保持する他のタイプのカバーラッチ３０４とすることができる。ディスプレイシャーシ２０４は、ディスプレイシャーシ２０４をヒンジ２０８に取り付けるヒンジコネクタ３０６を有することができる。
【００２９】
図３ｂは、ディスプレイシャーシ２０４の一実施形態の正面図３５０をブロック図で示す。ディスプレイシャーシ２０４は、タッチスクリーンディスプレイ３５４を提供するディスプレイ面３５２を有することができる。タッチスクリーンディスプレイ３５４はユーザ入力を受け取ることができる。タッチスクリーンディスプレイ３５４は、キーボードシャーシ２０６に対するディスプレイシャーシ２０４の位置に基づいてタッチ入力を無視することができる。タッチスクリーンディスプレイ３５４は、キーボードが動作状態であるか否かに基づいて、ポップアップ仮想キーボード３５６を提供することができる。ポップアップ仮想キーボードは、画面の内容に基づいてユーザに選択的に提供されるタッチスクリーンキーボードである。例えば、タッチスクリーンディスプレイ３５４が文字列を記入される書式を示している場合には、ユーザが文字列を入力するために、ポップアップ仮想キーボードが現れる場合がある。
【００３０】
図４ａは、キーボードシャーシ２０６の一実施形態の背面図４００をブロック図で示す。キーボードシャーシ２０６は、キーボードの反対側にあるベース面４０２を有することができる。ベース面４０２は、ディスプレイシャーシ２０４のカバー面３０２からのカバーラッチ３０４に接続するためのベースラッチ４０４を有することができる。ベースラッチ４０４は、カバーラッチ３０４がベースラッチ４０４に接続されたか否かを検出するためのラッチセンサ４０６を有することができる。ベースラッチ４０４及びカバーラッチ３０４は、内蔵ラッチセンサ４０６とともに磁性とすることができる。ラッチセンサ４０６は、磁気カバーラッチ３０４及び磁気ベースラッチ４０４が閉回路をいつ形成したか決定することができる。キーボードシャーシ２０６は上端軸ヒンジ４０８を有することができる。代替的には、ラッチセンサ４０６は、上端軸ヒンジ４０８に配置することができる。上端軸ヒンジ４０８は、キーボードシャーシ２０６の上端付近にあり、キーボードシャーシ２０６が上端の回りを回転できるようにするヒンジ２０８である。
【００３１】
図４ｂは、キーボードシャーシ２０６の一実施形態の動作状態の正面図４２０をブロック図で示す。キーボードシャーシ２０６は、キーボード４２４を含むキー面４２２を有することができる。キーボード４２４は、残存キーセット４２６と、デュアルユースキーセット４２８とを有することができる。残存キーセット４２６は、１つ又は複数の残存キーを有することができる。残存キーセット４２６はアクティベーション状態を有することができる。アクティベーション状態は、動作状態又は動作不能状態の場合がある。動作状態では、残存キーが、ユーザによって押下されたことを記録することができる。動作不能状態では、残存キーは、ユーザによって押下されたことを無視することができる。
【００３２】
デュアルユースキーセット４２６は、１つ又は複数のデュアルユースキーを有することができる。デュアルユースキーセット４２８は、キーボードシャーシ２０６に対するディスプレイシャーシ２０４のディスプレイ位置に基づいて、異なる機能を有することができる。更に、デュアルユースキーセット４２８は、残存キーセット４２６が動作状態にあるときに第１の機能を有することができ、残存キーセット４２６が動作不能状態にあるときに異なる機能を有することができる。残存キーセット４２６が動作状態にある間、デュアルユースキーセット４２８は、標準的なキーボードの一部としての役割を果たすことができる。残存キーセット４２６が動作不能状態にある間、デュアルユースキーセット４２８は、ゲームコントローラ又はリモートコントロールのような、コントローラの一部としての役割を果たすことができる。デュアルユースキーセット４２８は、クラムシェル−スレートハイブリッド２０２の設定に基づいて、残存キーセットに合わせて動作状態又は動作不能状態に入れられる場合がある。例えば、クラムシェル−スレートハイブリッド２０２は、スレートモード２４０にある間、コントローラ設定及びタブレット設定の両方を有することができる。
【００３３】
キー面４２２は、マウスとしての役割を果たすタッチパッド４３０を含むことができる。タッチパッド４３０は、動作状態又は動作不能状態にあることができる。タッチパッド４３０のアクティベーション状態は、残存キーセット４２６のアクティベーション状態に結び付けられる場合があるか、又は残存キーセット４２６のアクティベーション状態から独立している場合がある。
【００３４】
図４ｃは、キーボードシャーシ２０６の一実施形態の休止状態の正面図４４０をブロック図で示す。動作不能状態では、残存キーセット４２６は、ユーザによって押下されることを無視することができる。更に、使用中でないとき、カバー４４２をスライド方式で所定の位置に動かし、残存キーセット４２６を保護することができる。代替的には、カバー４４２は、フリップ方式で残存キーセット４２６を覆うことができるか、又はスナップ方式で嵌め込むことができる。
【００３５】
アクティベーション状態に基づいて、リトラクタがキーボード４２４の残存キーセット４２６を下げることができる。図５ａはキーボードシャーシ２０６のためのカバー付きリトラクタ５００の一実施形態の断面図をブロック図で示す。キーボードシャーシ２０６は、キー支持部５０４によって所定の位置に保持される１組のブロックキー５０２を有することができる。キースプリング５０６が各ブロックキー５０２をキーボードシャーシ２０６の表面の上方に持ち上げておくことができる。アーム５０８がキーボードシャーシ２０６の表面の下方にブロックキー５０２を下げることができる。カバー付きリトラクタ５００は、アーム５０８のほかにも他の格納機構を用いて、ブロックキー５０２を下げることができる。支持部留め具５１０が、ブロックキー５０２を格納状態に保持することができる。カバー５１２が、スライド方式で、ブロックキー５０２の残存キーセット４２６の上を覆い、ブロックキー５０２を格納状態において保護することができる。ヒンジ２０８におけるヒンジセンサ５１４がディスプレイシャーシ２０４に対するキーボードシャーシ２０６の位置を決定することができる。ブロックキー５０２の格納状態は、ディスプレイシャーシ２０４に対するキーボードシャーシ２０６の位置に基づいて設定することができる。
【００３６】
図５ｂは、キーボードシャーシ２０６のためのカバーなしリトラクタ５５０の一実施形態の断面図をブロック図で示す。キーボードシャーシ２０６は、ハーネス５５４によって所定の位置に保持される１組のフィットキー５５２を有することができる。キースプリング５０６は、各フィットキー５５２をキーボードシャーシ２０６の表面の上方に持ち上げておくことができる。格納時にフィットキー５５２とキーボードシャーシ２０６との間の任意の残存キー間隙を最小化するために、ハーネス５５４はフィットキー５５２を下げることができる。ハーネス５５４は、ある機構又は磁気源によって引き下げることができる。カバーなしリトラクタ５５０は、ハーネス５５４のほかにも他の格納機構を用いて、フィットキー５５２を下げることができる。ハーネス留め具５５６が、フィットキー５５２を格納状態に保持することができる。ヒンジセンサ５１４は、ディスプレイシャーシ２０４に対するキーボードシャーシ２０６の位置を決定することができる。フィットキー５５２の格納状態は、ディスプレイシャーシ２０４に対するキーボードシャーシ２０６の位置に基づいて設定することができる。
【００３７】
図６は、キーボードのアクティベーション状態を設定する方法６００の一実施形態を流れ図で示す。クラムシェル−スレートハイブリッド２０２は、上端軸に沿ってディスプレイシャーシ２０４にヒンジ結合されたキーボードシャーシ２０６のキー面４２２上にあるキーボード４２４の残存キーセット４２６のアクティベーション状態を選択的に設定することができる（ブロック６０２）。キーボード４２４が動作不能にされる場合には（ブロック６０４）、クラムシェル−スレートハイブリッド２０２は、残存キーセット４２６を動作不能状態に設定することができる（ブロック６０６）。クラムシェル−スレートハイブリッド２０２は、デュアルユースキー４２８から制御命令を受け取ることができる（ブロック６０８）。
【００３８】
キーボード４２４が動作可能にされる場合には（ブロック６０４）、クラムシェル−スレートハイブリッド２０２は、残存キーセット４２６のためのリアクティベーション命令を受け取ることができる（ブロック６１０）。リアクティベーション命令は、タッチスクリーンディスプレイ３５４におけるユーザジェスチャ、ユーザの生体認証識別子、キーストローク入力、又はスレートモード終了通知のうちの少なくとも１つとすることができる。ユーザジェスチャは、タッチスクリーンディスプレイ３５４上にユーザによって行われる任意のジェスチャとすることができる。生体認証識別子は、タッチスクリーンディスプレイ３５４を介して受け取られる指紋とすることができる。キーストローク入力は、デュアルユースキーのうちの１つ又は複数のキーの入力の組み合わせとすることができる。スレートモード終了通知は、クラムシェル−スレートハイブリッド２０２がスレートモード２４０を終了しつつあることを指示するために、ラッチセンサ４０６又はヒンジセンサ５１４によって生成される場合がある。
【００３９】
クラムシェル−スレートハイブリッド２０２は、残存キーセット４２６を動作状態に設定することができる（ブロック６１２）。クラムシェル−スレートハイブリッド２０２は、残存キーセット４２６を介してキー入力を受け取ることができる（ブロック６１４）。クラムシェル−スレートハイブリッド２０２は、ディスプレイシャーシ２０４のディスプレイ面３５２上にあるタッチスクリーンディスプレイ３５４においてユーザ入力を受け取ることができる（ブロック６１６）。
【００４０】
図７は、キーボードを動作不能にする方法７００の一実施形態を流れ図で示す。クラムシェル−スレートハイブリッド２０２は、アクティベーション状態に基づいて残存キーセット４２６を格納することができる（ブロック７０２）。クラムシェル−スレートハイブリッド２０２は、動作不能状態において残存キーセット４２６をカバーで覆うことができる（ブロック７０４）。クラムシェル−スレートハイブリッド２０２は、残存キーセット４２６を使用不能にしたときデュアルユースキー４２８の機能を変更することができる（ブロック７０６）。クラムシェル−スレートハイブリッド２０２は、残存キーセット４２６が動作不能状態にあるとき、ポップアップ仮想キーボード３５６を使用可能にする場合がある（ブロック７０８）。
【００４１】
図８は、キーボードを動作可能にする方法８００の一実施形態を流れ図で示す。クラムシェル−スレートハイブリッド２０２は、動作状態において残存キーセット４２６を持ち上げることができる（ブロック８０２）。クラムシェル−スレートハイブリッド２０２は、動作状態において残存キーセット４２６のカバーを外すことができる（ブロック８０４）。クラムシェル−スレートハイブリッド２０２は、残存キーセット４２６を使用可能にしたときデュアルユースキー４２８の機能を変更することができる（ブロック８０６）。クラムシェル−スレートハイブリッド２０２は、残存キーセット４２６が動作状態にあるとき、ポップアップ仮想キーボード３５６を使用不能にする場合がある（ブロック８０８）。
【００４２】
図９は、ラップトップからタブレットに変換する方法９００の一実施形態を流れ図で示す。ラップトップ−タブレットハイブリッドは、ディスプレイシャーシ２０４のディスプレイ面３５２の反対側のカバー面３０２がキーボードシャーシ２０６のキー面４２２の反対側のベース面４０２に面しているように、ディスプレイシャーシ２０４をキーボードシャーシ２０６にロックすることができる（ブロック９０２）。ラップトップ−タブレットハイブリッドは、上端軸に沿ってキーボードシャーシ２０６に対するディスプレイシャーシ２０４のディスプレイ位置を決定することができる（ブロック９０４）。ラップトップ−タブレットハイブリッドは、ディスプレイ位置を用いて、残存キーセット４２６のアクティベーション状態を決定することができる（ブロック９０６）。ラップトップ−タブレットハイブリッドは、ディスプレイ位置に基づいて、キーボードシャーシ２０６のキー面４２２上にあるキーボード４２４の残存キーセット４２６のアクティベーション状態を選択的に設定することができる。このようにして、ラップトップ−タブレットハイブリッドは、ディスプレイ位置に基づいて、残存キーセット４２６を動作不能にすることができる（ブロック９０８）。ラップトップ−タブレットハイブリッドは、動作不能状態において残存キーセット４２６を格納することができる（ブロック９１０）。ラップトップ−タブレットハイブリッドは、格納時に残存キー間隙を縮小することができる（ブロック９１２）。ラップトップ−タブレットハイブリッドは、ディスプレイ位置に基づいて、キーボードシャーシ２０６のキー面４２２上にあるキーボード４２４のデュアルユースキー４２８の機能を選択的に設定することができる（ブロック９１４）。ラップトップ−タブレットハイブリッドは、デュアルユースキー４２８から制御命令を受け取ることができる（ブロック９１６）。ラップトップ−タブレットハイブリッドは、残存キーセットが動作不能状態にあるとき、ポップアップ仮想キーボードを使用可能にできる（ブロック９１８）。ラップトップ−タブレットハイブリッドは、ディスプレイシャーシ２０４のディスプレイ面３５２上にあるタッチスクリーンディスプレイ３５４においてユーザ入力を受け取ることができる（ブロック９２０）。
【００４３】
主題が構造的特徴及び／又は方法論的動作に特有の言語において記述されてきたが、添付の特許請求の範囲における主題は、上記の具体的な特徴又は動作に必ずしも限定されないことは理解されたい。むしろ、上記の具体的な特徴及び動作は、請求項を実現するための例示的な形態として開示される。
【００４４】
本発明の範囲内にある実施形態は、そこに記憶されたコンピュータ実行可能命令又はデータ構造を搬送するか、又は有するための非一時的コンピュータ可読記憶媒体を含むこともできる。そのような非一時的コンピュータ可読記憶媒体は、汎用コンピュータ又は専用コンピュータによってアクセスすることできる任意の入手可能な媒体とすることができる。一例であって、限定はしないが、そのような非一時的コンピュータ可読記憶媒体は、ＲＡＭ、ＲＯＭ、ＥＥＰＲＯＭ、ＣＤ−ＲＯＭ、又は他の光ディスク記憶装置、磁気ディスク記憶装置若しくは他の磁気記憶デバイス、又はコンピュータ実行可能命令若しくはデータ構造の形で所望のプログラムコード手段を搬送又は記憶するために用いることができる任意の他の媒体を含むことができる。上記の組み合わせも、非一時的コンピュータ可読記憶媒体の範囲内に含まれるべきである。
【００４５】
複数の実施形態が、通信ネットワークを通して（有線リンク、無線リンク又はその組み合わせによって）リンクされるローカル処理デバイス及びリモート処理デバイスによってタスクが実行される分散コンピューティング環境において実施することもできる。
【００４６】
コンピュータ実行可能命令は、例えば、汎用コンピュータ、専用コンピュータ又は専用処理デバイスに特定の機能又は一群の機能を実行させる命令又はデータを含む。また、コンピュータ実行可能命令は、スタンドアローン又はネットワーク環境にあるコンピュータによって実行されるプログラムモジュールも含む。一般的に、プログラムモジュールは、特定のタスクを実行するか、又は特定の抽象データ型を実現する、ルーチン、プログラム、オブジェクト、コンポーネント及びデータ構造などを含む。コンピュータ実行可能命令、関連するデータ構造及びプログラムモジュールは、本明細書において開示される方法のステップを実行するためのプログラムコード手段の例を表す。そのような実行可能命令又は関連するデータ構造の特定のシーケンスは、そのようなステップにおいて説明される機能を実施するための対応する動作の例を表す。
【００４７】
上記の説明は具体的な細部を含む場合があるが、それらの細部は多少なりとも特許請求の範囲を限定すると見なされるべきではない。説明された実施形態の他の構造も本開示の範囲の一部である。例えば、本開示の原理は、各ユーザがそのようなシステムを個々に展開する場合がある場所において、個々のユーザに適用することができる。このことにより、多数の実現可能な応用形態のうちのいずれか１つが本明細書において示される機能を使用しない場合であっても、各ユーザが本開示の利点を利用できるようになる。電子デバイスの複数の実例がそれぞれ、種々の取り得る方法において、本内容を処理することができる。実施態様は、必ずしも、全てのエンドユーザによって使用される１つのシステム内にあるとは限らない。したがって、任意の所与の具体例でなく、添付の特許請求の範囲及びその法的均等物のみが本発明を規定すべきである。
【図１】
2015509246.tif 000003
【図２ａ】
2015509246.tif 000004
【図２ｂ】
2015509246.tif 000005
【図２ｃ】
2015509246.tif 000006
【図３ａ】
2015509246.tif 000007
【図３ｂ】
2015509246.tif 000008
【図４ａ】
2015509246.tif 000009
【図４ｂ】
2015509246.tif 000010
【図４ｃ】
2015509246.tif 000011
【図５ａ】
2015509246.tif 000012
【図５ｂ】
2015509246.tif 000013
【図６】
2015509246.tif 000014
【図７】
2015509246.tif 000015
【図８】
2015509246.tif 000016
【図９】
2015509246.tif 000017
【国際調査報告】
2015509246.tif 000018
2015509246.tif 000019